(57)【特許請求の範囲】
【請求項１】
無線ＬＡＮのアクセスポイント若しくはステーションとして使用される無線ＬＡＮ送受信装置であって、
無線ＬＡＮ用の通信手段と、
各種指令を外部操作によって入力するための入力手段と、
各種情報を表示するための表示手段と、
前記通信手段が通信を行うのに必要な通信用パラメータを使用者に設定させるための案内情報を前記表示手段に表示すると共に、該案内情報の表示に伴い前記入力手段から入力された指令に従い前記通信用パラメータを設定する設定手段と、
前記各手段に電源供給を行うための電源回路と、
を備え、
前記入力手段、表示手段、及び設定手段は、無線ＬＡＮ送受信装置の通信パラメータ設定用の動作設定モジュールとして、前記通信手段及び前記電源回路を備えた装置本体とは別体で構成され、
前記動作設定モジュールは、前記装置本体のケース内に、コネクタを介して着脱可能に設けられ、
しかも、前記装置本体において、前記電源回路から前記動作設定モジュールへの電源供給経路には、
前記装置本体のケースに設けられた蓋体が閉じているときにオフ状態となって前記電源供給経路を遮断し、前記蓋体が開いているときにオン状態となって前記電源供給経路を導通させる電源遮断手段、
が設けられていることを特徴とする無線ＬＡＮ送受信装置。
【請求項２】
前記設定手段は、複数の設定条件と該各設定条件に対応した通信用パラメータとが記憶された記憶媒体を有し、前記通信手段の通信用パラメータを設定する際には、前記表示手段に、該複数の設定条件の一つを選択するための案内情報を表示し、その後前記入力手段を介して入力される設定条件の選択指令に従い、前記通信用パラメータを設定することを特徴とする請求項１に記載の無線ＬＡＮ送受信装置。
【請求項３】
前記設定手段は、無線ＬＡＮ送受信装置の通信用パラメータを一旦設定すると、該設定結果を記憶し、その後、前記入力手段から、該設定結果を利用する設定指令が入力されると、そのとき装着されている無線ＬＡＮ送受信装置の通信用パラメータとして、該記憶した設定結果に基づき、新たな通信用パラメータを自動設定することを特徴とする請求項１又は請求項２に記載の無線ＬＡＮ送受信装置。
【請求項４】
前記通信手段は、受信信号の信号レベルを計測可能に構成され、
前記設定手段は、前記通信用パラメータを設定しない通常時に、前記入力手段からの指令に従い、前記通信手段による前記信号レベルの測定結果を前記表示手段に表示することを特徴とする請求項１〜請求項３の何れか１項に記載の無線ＬＡＮ送受信装置。
【請求項５】
アクセスポイントと、該アクセスポイントと無線通信可能な複数のステーションと、からなる無線ＬＡＮシステムであって、
前記アクセスポイント及び前記ステーションを構成する各無線ＬＡＮ送受信装置の通信用パラメータを設定するのに共用可能な動作設定モジュールとして、
各種指令を外部操作によって入力するための入力手段と、
各種情報を表示するための表示手段と、
前記通信用パラメータを使用者に設定させるための案内情報を前記表示手段に表示すると共に、該案内情報の表示に伴い前記入力手段から入力された指令に従い前記通信用パラメータを設定する設定手段と、
を備え、前記各無線ＬＡＮ送受信装置のケース内にコネクタを介して着脱可能で、しかも、前記各無線ＬＡＮ送受信装置内の電源回路から電源供給を受けて動作するよう構成された動作設定モジュール、
を備えたことを特徴とする無線ＬＡＮシステム。
【発明の詳細な説明】
【技術分野】
【０００１】
本発明は、無線ＬＡＮのアクセスポイント若しくはステーションとして使用される無線ＬＡＮ送受信装置及びこの装置を用いて構成される無線ＬＡＮシステムに関する。
【背景技術】
【０００２】
従来、無線ＬＡＮ送受信装置においては、使用者がアンテナの向きや装置の位置を簡単に設定できるようにするために、受信信号の信号レベルを計測して、その信号レベルを表示するとか、受信信号から復元したデータのビット誤り率を求め、このビット誤り率を受信品質レベルとして表示する、といったことが行われている（例えば、特許文献１、２等参照）。
【特許文献１】特開２００２−１２４９６２号公報
【特許文献２】特開２００２−５１０５１号公報
【発明の開示】
【発明が解決しようとする課題】
【０００３】
ところで、無線ＬＡＮ送受信装置において、上記のようなレベル表示を行い、アンテナの向きや装置の位置を設定するには、無線ＬＡＮ送受信装置のＩＰアドレス、サブネットマスク、無線チャンネル、ＥＳＳＩＤ（Extended Service Set Identifier）、ＢＳＳＩＤ（Basic Service Set Identifier） 、セキュリティのための暗号化方式、といった各種通信用パラメータを設定して、通信相手となる他の無線ＬＡＮ送受信装置からの送信信号を受信できるようにしておく必要がある。
【０００４】
ところが、これらの通信用パラメータは、通常、無線ＬＡＮ送受信装置にＬＡＮケーブルを介してパーソナルコンピュータ（以下単にパソコンという）を接続し、このパソコンから無線ＬＡＮ送受信装置にアクセスして、設定するようになっている。
【０００５】
このため、例えば、無線ＬＡＮ送受信装置には、ＬＡＮケーブルを介してカメラ等のネットワーク機器を接続して使用するような場合であっても、その通信用パラメータを初期設定する際には、設定用のパソコンを無線ＬＡＮ送受信装置に接続しなければならず、その設定作業が面倒であるという問題があった。
【０００６】
本発明は、こうした問題に鑑みなされたものであり、無線ＬＡＮ送受信装置において、ＬＡＮケーブルを介してパソコン等の設定用装置を接続することなく、通信用パラメータを簡単に設定できるようにすることを目的とする。
【課題を解決するための手段】
【０００７】
かかる目的を達成するためになされた請求項１に記載の発明は、無線ＬＡＮのアクセスポイント若しくはステーションとして使用される無線ＬＡＮ送受信装置であって、
無線ＬＡＮ用の通信手段と、
各種指令を外部操作によって入力するための入力手段と、
各種情報を表示するための表示手段と、
前記通信手段が通信を行うのに必要な通信用パラメータを使用者に設定させるための案内情報を前記表示手段に表示すると共に、該案内情報の表示に伴い前記入力手段から入力された指令に従い前記通信用パラメータを設定する設定手段と、
前記各手段に電源供給を行うための電源回路と、
を備え、
前記入力手段、表示手段、及び設定手段は、無線ＬＡＮ送受信装置の通信パラメータ設定用の動作設定モジュールとして、前記通信手段及び前記電源回路を備えた装置本体とは別体で構成され、
前記動作設定モジュールは、前記装置本体のケース内に、コネクタを介して着脱可能に設けられ、
しかも、前記装置本体において、前記電源回路から前記動作設定モジュールへの電源供給経路には、
前記装置本体のケースに設けられた蓋体が閉じているときにオフ状態となって前記電源供給経路を遮断し、前記蓋体が開いているときにオン状態となって前記電源供給経路を導通させる電源遮断手段、
が設けられていることを特徴とする。
【０００８】
また、請求項２に記載の発明は、請求項１に記載の無線ＬＡＮ送受信装置において、前記設定手段は、複数の設定条件と該各設定条件に対応した通信用パラメータとが記憶された記憶媒体を有し、前記通信手段の通信用パラメータを設定する際には、前記表示手段に、該複数の設定条件の一つを選択するための案内情報を表示し、その後前記入力手段を介して入力される設定条件の選択指令に従い、前記通信用パラメータを設定することを特徴とする。
【００１２】
また、請求項３に記載の発明は、請求項１又は請求項２に記載の無線ＬＡＮ送受信装置において、前記設定手段は、無線ＬＡＮ送受信装置の通信用パラメータを一旦設定すると、該設定結果を記憶し、その後、前記入力手段から、該設定結果を利用する設定指令が入力されると、そのとき装着されている無線ＬＡＮ送受信装置の通信用パラメータとして、該記憶した設定結果に基づき、新たな通信用パラメータを自動設定することを特徴とする。
【００１３】
次に、請求項４に記載の発明は、請求項１〜請求項３の何れか１項に記載の無線ＬＡＮ送受信装置において、前記通信手段は、受信信号の信号レベルを計測可能に構成され、前記設定手段は、前記通信用パラメータを設定しない通常時に、前記入力手段からの指令に従い、前記通信手段による前記信号レベルの測定結果を前記表示手段に表示することを特徴とする。
【００１４】
また次に、請求項５に記載の発明は、アクセスポイントと、該アクセスポイントと無線通信可能な複数のステーションと、からなる無線ＬＡＮシステムであって、
前記アクセスポイント及び前記ステーションを構成する各無線ＬＡＮ送受信装置の通信用パラメータを設定するのに共用可能な動作設定モジュールとして、
各種指令を外部操作によって入力するための入力手段と、
各種情報を表示するための表示手段と、
前記通信用パラメータを使用者に設定させるための案内情報を前記表示手段に表示すると共に、該案内情報の表示に伴い前記入力手段から入力された指令に従い前記通信用パラメータを設定する設定手段と、
を備え、前記各無線ＬＡＮ送受信装置のケース内にコネクタを介して着脱可能で、しかも、前記各無線ＬＡＮ送受信装置内の電源回路から電源供給を受けて動作するよう構成された動作設定モジュール、
を備えたことを特徴とする。
【発明の効果】
【００１５】
請求項１に記載の無線ＬＡＮ送受信装置は、入力手段、表示手段、及び設定手段を備えた通信パラメータ設定用の動作設定モジュールと、通信手段及び電源回路を備えた装置本体とから構成され、動作設定モジュールは、装置本体のケース内に、コネクタを介して着脱可能に設けられている。
そして、動作設定モジュールに設けられた設定手段は、通信手段が通信を行うのに必要な通信用パラメータを使用者に設定させるための案内情報を表示手段に表示し、その表示に伴い入力手段から入力された指令に従い通信用パラメータを設定する。
【００１６】
このため、本発明の無線ＬＡＮ送受信装置によれば、無線ＬＡＮ送受信装置にパソコン等の設定用装置を接続することなく（換言すれば、無線ＬＡＮ送受信装置単体で）、通信手段が通信を行うのに必要な通信用パラメータを設定できるようになり、使用者は、その設定作業を極めて簡単に行うことができる。
また、本発明の無線ＬＡＮ送受信装置において、装置本体内の電源回路から動作設定モジュールへの電源供給経路には、装置本体のケースに設けられた蓋体が閉じているときにオフ状態となって電源供給経路を遮断し、蓋体が開いているときにオン状態となって電源供給経路を導通させる電源遮断手段が設けられている。
このため、通信用パラメータを設定しない通常時に、動作設定モジュール内の入力手段、表示手段、及び設定手段に電源供給がなされて、当該装置での電力消費が不必要に増加するのを防止できる。
また、動作設定モジュールは、ケース内にコネクタを介して着脱可能に設けられることから、使用者が通信用パラメータを設定する際には、ケースの蓋体が開けられることになる。
そして、上記のように、動作設定モジュールへの電源供給／遮断の切り換えは、蓋体の開閉に連動して行われるので、使用者は、通信パラメータを設定する際、蓋体を開けるだけで、動作設定モジュールへの電源供給を開始させることができる。
なお、電源遮断手段としては、蓋体の開閉に連動してオン・オフする一般的な機械式スイッチを用いて構成してもよく、或いは、フォトダイオード、フォトトランジスタ、ｃｄｓなどの感光素子を利用した回路スイッチを用いて構成してもよい。
また、動作設定モジュールは、装置本体のケース内に、コネクタを介して着脱可能に設けられることから、例えば、無線ＬＡＮのアクセスポイントと、アクセスポイントと無線通信を行う複数のステーションとで構成される無線ＬＡＮシステムにおいて、これら各無線ＬＡＮ送受信装置の通信パラメータを設定する動作設定モジュールとして共用化することができるようになり、装置の低コスト化を図ることができる。
【００１７】
次に、請求項２に記載の無線ＬＡＮ送受信装置によれば、設定手段に、複数の設定条件と各設定条件に対応した通信用のパラメータとが記憶された記憶媒体が設けられている。そして、設定手段は、通信用パラメータの設定時には、表示手段に、複数の設定条件の一つを選択するための案内情報を表示し、その後入力手段を介して入力される設定条件の選択指令に従い、通信用パラメータを設定する。
【００１８】
このため、使用者は、表示手段に表示される設定条件を選択するだけで、通信手段の通信用パラメータを設定することができるようになり、その設定作業をより簡単に行うことができる。
【００１９】
また、使用者が設定条件を選択すれば、その選択された設定条件に対応して予め設定された通信用パラメータが自動設定されるので、使用者が通信用パラメータを直接入力するようにした場合に比べて、設定ミスを低減することもできる。
【００２６】
次に、請求項３に記載の無線ＬＡＮ送受信装置においては、設定手段は、無線ＬＡＮ送受信装置の通信用パラメータを一旦設定すると、その設定結果を記憶し、その後、入力手段から、その記憶した設定結果を利用する設定指令が入力されると、その設定結果に基づき、現在装着されている無線ＬＡＮ送受信装置の通信用パラメータを自動設定する。
【００２７】
従って、請求項３に記載の装置によれば、例えば、同一グループを構成する複数の無線ＬＡＮ送受信装置に対し通信用パラメータを設定する場合、特定の無線ＬＡＮ送受信装置（例えばアクセスポイント）に対し通信用パラメータを手動で設定すれば、残りの無線ＬＡＮ送受信装置については、グループ共通の動作設定モジュールを装着するだけで、通信用パラメータを自動設定できることになり、その設定作業を、より簡単に効率よく行うことが可能となる。
【００２８】
また次に、本発明（請求項１〜３）の無線ＬＡＮ送受信装置には、表示手段が設けられていることから、請求項４に記載のように、通信手段を、受信信号の信号レベルを計測可能に構成し、設定手段において、通信用パラメータを設定しない通常時には、入力手段からの指令に従い、通信手段による信号レベルの測定結果を表示手段に表示するようにしてもよい。
【００２９】
そして、このようにすれば、使用者は、通信用パラメータの設定後に、受信信号の信号レベルを表示させて、アンテナ向きや無線ＬＡＮ送受信装置自体の位置を調整する、といったことが可能となり、この調整作業においても、パソコンや測定器を用いることなく簡単に行うことができるようになる。
【００３０】
一方、請求項５に記載の無線ＬＡＮシステムにおいては、アクセスポイント及びステーションを構成する各無線ＬＡＮ送受信装置の通信用パラメータを設定するのに共用可能な動作設定モジュールとして、上述した本発明（請求項１〜４）の無線ＬＡＮ送受信装置に設けられた動作設定モジュールを備える。このため、これら各部の通信用パラメータの設定を極めて簡単に行うことができるようになり、システム構築時の各部の設定作業を短時間で行うことができる。
【発明を実施するための最良の形態】
【００３１】
以下に、本発明の一実施形態を図面と共に説明する。
図１は本発明が適用された遠隔監視システムの構成を表す概略構成図である。
図１に示すように、本実施形態の遠隔監視システムは、所定の監視対象領域（図に示すグループＡ，Ｂ，…毎）に、複数のカメラ１０ａ，１０ｂ，…と、一つのモニタ装置２０ａ，２０ｂ，…とからなる監視装置２ａ，２ｂ，…を構成し、更に、各監視装置２ａ，２ｂ，…による監視状態を、上位の監視装置６にて監視できるようにしたものである。
【００３２】
これら複数のカメラ１０ａ，１０ｂ，…と、一つのモニタ装置２０ａ，２０ｂ，…と、上位の監視装置６は、それぞれ、ＬＡＮに接続可能なネットワーク機器として構成されている。
【００３３】
そして、各グループＡ，Ｂ，…において、複数のカメラ１０ａ，１０ｂ，…には、それぞれ、無線ＬＡＮのステーションである子機１２ａ，１２ｂ，…がそれぞれ接続され、モニタ装置２０ａ，２０ｂ，…には、無線ＬＡＮのアクセスポイントである親機２２ａ，２２ｂ，…が接続されている。
【００３４】
なお、各グループＡ，Ｂ，…において、親機２２ａ，２２ｂ，…と子機１２ａ，１２ｂ，…とは、例えば「ＩＥＥＥ８０２．１１ｂ」に準拠したプロトコルにて、互いに無線通信ができるように、通信用パラメータ（ＩＰアドレス、サブネットマスク、無線チャンネル、ＥＳＳＩＤ、ＢＳＳＩＤ 、セキュリティのための暗号化方式）が予め設定されている。
【００３５】
また、各グループＡ，Ｂ，…のモニタ装置２０ａ，２０ｂ，…は、それぞれ、ハブ（ＨＵＢ）４を介して監視装置６に接続されている。
このため、各グループＡ，Ｂ，…の管理者は、各監視対象領域毎に設置されたカメラ１０ａ，１０ｂ，…による撮像画像を、子機１２ａ，１２ｂ，…及び親機２２ａ，２２ｂ，…を介して、モニタ装置２０ａ，２０ｂ，…へと送信させ、モニタ装置２０ａ，２０ｂ，…の表示画面にその撮像画像を表示させることで、各監視対象領域各部の状態を監視することができる。
【００３６】
また、上記の監視装置６側では、例えば、各グループＡ，Ｂ，…のモニタ装置２０ａ，２０ｂ，…から表示中の画像データを取得し、図示しない表示装置にその画像を表示させたり、画像データをハードディスク等に記憶したりすることができる。
【００３７】
次に、本実施形態の遠隔監視システムにおいて、無線ＬＡＮの親機（アクセスポイント）２２ａ，２２ｂ，…及び子機（ステーション）１２ａ，１２ｂ，…は、それぞれ、図２、図３に示す無線ＬＡＮ送受信装置３０にて構成されており、その通信用パラメータを設定することで、互いに無線通信可能なアクセスポイント及びステーションとして動作する。
【００３８】
以下、この無線ＬＡＮ送受信装置３０の構成及び通信用パラメータの設定手順について説明する。
まず、図２は、無線ＬＡＮ送受信装置３０の回路構成を表すブロック図であり、図３は、無線ＬＡＮ送受信装置３０のケース本体３１から密閉用の蓋体を外してケース内部を露出させた状態を表す平面図である。
【００３９】
図２に示すように、無線ＬＡＮ送受信装置３０は、アンテナを介して「ＩＥＥＥ８０２．１１ｂ」に準拠したプロトコルにて無線通信を行う無線ＬＡＮモジュール３２、この無線ＬＡＮモジュール３２の動作設定を行う動作設定モジュール３４、無線ＬＡＮモジュール３２と動作設定モジュール３４及び外部機器（カメラ１０ａ，１０ｂ，…やモニタ装置２０ａ，２０ｂ，…等のネットワーク機器）とをＬＡＮケーブルを介して互いに通信可能に接続するハブ（ＨＵＢ）３６、外部から電源供給を受けて所定の電源電圧（直流）を生成し、無線ＬＡＮモジュール３２や動作設定モジュール３４に電源供給を行う電源回路３８、及び、電源回路３８から動作設定モジュール３４への電源供給経路に設けられ、当該無線ＬＡＮ送受信装置３０のケース本体３１（図３参照）を密閉する蓋体の開閉状態に応じて、電源供給経路を導通／遮断するケース開閉スイッチ（ＳＷ）３９、を備える。
【００４０】
なお、ケース開閉ＳＷ３９は、図３に示すように、蓋体が開かれ、操作部４４の操作、及び、表示部４６の表示画面を視認可能となっているときに、オン状態となって、電源供給経路を導通させ、蓋体が閉じているときに、オフ状態となって、電源供給経路を遮断するものであり、本実施形態では、一般的な機械式スイッチを用いて構成されている。
【００４１】
また、動作設定モジュール３４は、暴走監視用のウォッチドッグタイマ４１を備えたマイクロコンピュータ（マイコン）４０を中心に構成されており、無線ＬＡＮモジュール３２との間でハブ３６を介して通信を行うための通信部４２、使用者が各種指令を入力するための操作部４４、各種情報を表示するための表示部４６、及び、動作設定のためのデータや設定後のデータを記憶するための不揮発性メモリ（本実施形態ではＥＥＰＲＯＭ）４８、を備える。
【００４２】
そして、マイコン４０は、無線ＬＡＮ送受信装置３０のケースの蓋体が開かれ、ケース開閉ＳＷ３９を介して、電源回路３８から電源供給を受けているときには、図４に示す動作設定処理を実行し、無線ＬＡＮモジュール３２がアンテナを介して無線通信を行うのに必要な通信用パラメータの設定、或いは、無線ＬＡＮモジュール３２が受信した受信信号のレベル表示を行う。
【００４３】
図４に示すように、この動作設定処理では、まずＳ１１０（Ｓはステップを表す）にて、表示部４６にモード選択メニューを表示する。
ここで、モード選択メニューは、動作設定モジュール３４の動作モードを、通信用パラメータをメニューの選択動作だけで簡単に設定し得る簡単設定モードにするか、アンテナからの受信信号の信号レベルを表示するアンテナ調整モードにするか、或いは、通信用パラメータを手動で詳細に設定し得る詳細設定モードにするか、を使用者に選択させるためのものである。
【００４４】
このため、続くＳ１２０では、表示したモード選択メニューに従い、使用者が簡単設定モードを選択したか否かを判断し、使用者が簡単設定モードを選択している場合には、簡単設定モードに入り、Ｓ１３０〜Ｓ２４０の簡単設定処理を実行する。
【００４５】
また、Ｓ１２０にて、使用者は簡単設定モードを選択していないと判断された場合には、Ｓ２５０に移行して、使用者がアンテナ調整モードを選択したか否かを判断する。
そして、使用者がアンテナ調整モードを選択している場合には、Ｓ２６０にて無線ＬＡＮモジュール３２から受信信号の信号レベルを表すＲＳＳＩ情報を取得し、Ｓ２７０にて、その取得した受信信号レベルを表示部４６に表示し、続くＳ２８０にて、操作部４４からレベル表示の終了指令が入力されたか否かを判断し、操作部４４からレベル表示の終了指令が入力されていなければ、再度Ｓ２６０に移行する、といった手順で、受信信号の信号レベルを表示部４６に表示する。
【００４６】
なお、Ｓ２８０にて、操作部４４からレベル表示の終了指令が入力されたと判断された場合には、当該動作設定処理を一旦終了する。
また、Ｓ２５０にて、使用者がアンテナ調整モードを選択していないと判断された場合には、Ｓ２９０にて、使用者が詳細設定モードを選択したか否かを判断する。
【００４７】
そして、使用者が詳細設定モードを選択している場合には、Ｓ３００にて、ＥＳＳＩＤ、ＩＰアドレス等の使用者からの指令に従い設定する手動設定処理を実行し、逆に、使用者が詳細設定モードを選択していなければ、当該動作設定処理を一旦終了する。
【００４８】
次に、Ｓ１３０〜Ｓ２４０にて実行される簡単設定処理について説明する。
この簡単設定処理では、まずＳ１３０にて、当該無線ＬＡＮ送受信装置３０をモニタ装置２０ａ，２０ｂ，…に接続される親機（アクセスポイント）として動作させるか、或いは、カメラ１０ａ，１０ｂ，…に接続される４つの子機（ステーション：子機１，子機２，子機３，子機４）の一つとして動作させるかを選択させるための選択メニューを、表示部４６に表示し、続くＳ１４０にて、親機若しくは子機１〜４の何れかが選択されるのを待つ。
【００４９】
そして、親機若しくは子機１〜４の何れかが選択されると、Ｓ１５０にて、その選択結果をＥＥＰＲＯＭ４８に記憶し、続くＳ１５５にて、その選択結果に応じて、無線ＬＡＮモジュール３２の動作モードを、アクセスポイント及びステーションの何れかに設定する。
【００５０】
次に、Ｓ１６０では、当該無線ＬＡＮ送受信装置３０が無線ＬＡＮで使用する通信チャンネルのチャンネル番号を、チャンネル番号１から１４の何れか一つに選択させるための選択メニューを表示部４６に表示し、続くＳ１７０にて、チャンネル番号１〜１４の何れかが選択されるのを待つ。
【００５１】
そして、チャンネル番号１〜１４の何れかが選択されると、Ｓ１８０に移行し、ＥＥＰＲＯＭ４８に予め記憶されているＥＳＳＩＤ設定用マップ（図５（ａ）参照）を利用して、ＥＳＳＩＤを読み込み、無線ＬＡＮモジュール３２のＥＳＳＩＤを設定すると共に、その設定結果を、ＥＥＰＲＯＭ４８に記憶する。
【００５２】
また次に、Ｓ１９０では、当該無線ＬＡＮ送受信装置３０が属する無線ＬＡＮのグループを、グループ１から６の何れか一つに選択させるための選択メニューを表示部４６に表示し、続くＳ２００にて、グループ番号１〜６の何れかが選択されるのを待つ。
【００５３】
そして、グループ番号１〜６の何れかが選択されると、Ｓ２１０に移行し、ＥＥＰＲＯＭ４８に予め記憶されているＩＰアドレス設定用マップ（図５（ｂ）参照）及び図示しないサブネットマスク設定用マップを用いて、当該無線ＬＡＮモジュール３２のＩＰアドレス及びサブネットマスクを設定し、その設定結果をＥＥＰＲＯＭ４８に記憶する。
【００５４】
なお、図５（ｂ）に示すように、ＩＰアドレス設定用のマップは、当該無線ＬＡＮ送受信装置３０の用途（親機、子機１〜４の何れか）と当該無線ＬＡＮ送受信装置３０が属するグループの番号とをパラメータとして、ＩＰアドレスを自動的に割り当てるように設定されている。また、図示しないが、サブネットマスク設定用のマップも同様に、グループ番号に基づきサブネットマスクを自動的に割り当てるように設定されている。
【００５５】
そして、上記のように、無線ＬＡＮモジュール３２の用途（親機、子機１〜４の何れか）、ＥＳＳＩＤ、ＩＰアドレス、サブネットマスクが設定されると、続くＳ２２０にて、無線ＬＡＮモジュール３２を起動して、当該無線ＬＡＮモジュール３２と同一グループの通信相手からの送信データを取り込むことにより、ＢＳＳＩＤを設定すると共に、セキュリティのための暗号化方式を設定し、ＥＥＰＲＯＭ４８に記憶する。
【００５６】
そして最後に、Ｓ２３０にて、上述した各通信用パラメータの設定結果を表示部４６に表示し、Ｓ２４０にて、操作部４４から確定指令が入力されるのを待って、確定指令が入力されると、当該動作設定処理を一旦終了する。
【００５７】
なお、図４に示した動作設定処理の実行中に、使用者が操作部４４を操作することで、再設定指令を入力すると、前回設定した通信用パラメータの設定を再度行うための選択メニュー表示に戻り、その通信用パラメータを再設定できるようにされている。
【００５８】
以上説明したように、本実施形態の無線ＬＡＮ送受信装置３０には、無線ＬＡＮモジュール３２に加えて、無線ＬＡＮモジュール３２が無線通信を行うのに必要な通信用パラメータを外部操作によって設定するための動作設定モジュール３４が設けられている。そして、この動作設定モジュール３４は、通信用パラメータを簡単設定モード、詳細設定モードの何れで設定するか、或いは、受信信号レベルを表示するアンテナ調整モードで動作させるかを、使用者に選択させるための選択メニューを表示部４６に表示し、その表示後に操作部４４から入力される指令に従い、通信用パラメータの設定、若しくは受信信号レベルの表示を行う。
【００５９】
このため、本実施形態の無線ＬＡＮ送受信装置３０によれば、無線ＬＡＮ送受信装置３０にパソコン等の設定用装置を接続することなく、無線ＬＡＮ送受信装置３０単体で、通信用パラメータの設定、或いは、アンテナの方向調整を行うことができるようになり、使用者は、その設定作業を極めて簡単に行うことができる。
【００６０】
また特に、簡単設定モードでは、ＥＥＰＲＯＭ４８に記憶された用途、チャンネル番号、グループ番号等の設定条件の選択メニューを表示して、使用者に順次選択させることで、通信用パラメータを設定させることから、使用者は、表示部４６に表示される設定条件を順次選択するだけで、無線ＬＡＮモジュール３２の通信用パラメータを設定することができるようになり、その設定作業を極めて簡単に行うことができる。
【００６１】
また、使用者が設定条件を選択すれば、その選択された設定条件に対応して予め設定された通信用パラメータが自動設定されるので、使用者が通信用パラメータを直接入力するようにした場合に比べて、設定ミスを低減することもできる。
【００６２】
また、本実施形態の無線ＬＡＮ送受信装置３０においては、電源回路３８から動作設定モジュール３４への電源供給経路にケース開閉スイッチ３９が設けられており、ケースが蓋体で密閉されると（つまり通常使用時）には、その経路を自動的に遮断するようにされている。このため、通信用パラメータを設定しない通常時に、動作設定モジュール３４に電源供給がなされて、電力消費が増加するのを防止することができる。
【００６３】
なお、本実施形態においては、無線ＬＡＮモジュール３２が本発明の通信手段に相当し、操作部４４が本発明の入力手段に相当し、表示部４６が本発明の表示手段に相当し、マイコン４０が本発明の設定手段に相当し、ＥＥＰＲＯＭ４８が本発明の記憶媒体に相当し、ケース開閉ＳＷ３９が本発明の電源遮断手段に相当する。
【００６４】
ここで、本実施形態の動作設定モジュール３４は、無線ＬＡＮモジュール３２や電源回路３８と共に、ケース本体３１内に一体的に収納されるものではなく、実際には、図６及び図７に示すように、無線ＬＡＮモジュール３２、ハブ３６、及び電源回路３８等が組み付けられた基板とは別体で構成される。
そして、基板及び動作設定モジュール３４には、一対のコネクタ３７、５２が設けられ、動作設定モジュール３４は、このコネクタ３７、５２を介して、基板に着脱可能に装着される。
【００６５】
このため、本実施形態の遠隔監視システムによれば、例えば、無線ＬＡＮのグループを構成する無線ＬＡＮ送受信装置３０間で動作設定モジュール３４を共用化することができるようになり、無線ＬＡＮ送受信装置３０の低コスト化を図ることができる。
【００６６】
なお、図６、図７は、動作設定モジュール３４を着脱可能に構成した無線ＬＡＮ送受信装置３０の構成を表し、図６は、無線ＬＡＮ送受信装置３０と動作設定モジュール３４とを分離した状態を表す平面図、図７は、動作設定モジュール３４を装着した無線ＬＡＮ送受信装置３０を図６に示すＸ−Ｘ線で破断した際の断面図である。
【００６７】
またこのように、動作設定モジュール３４を、無線ＬＡＮ送受信装置３０とは別体に構成した場合、動作設定モジュール３４は、必ずしも、無線ＬＡＮ送受信装置３０内に収納可能にする必要はなく、例えば、図８に示すように、無線ＬＡＮ送受信装置３０の外からＬＡＮ端子に動作設定モジュール３４を接続することで、動作設定モジュール３４を外付けし、無線ＬＡＮ送受信装置３０内に収納された無線ＬＡＮモジュール３２の通信用パラメータを設定できるように構成してもよい。
【００６８】
そして、このようにすれば、無線ＬＡＮ送受信装置３０内に動作設定モジュール３４を収納するためのスペースを設ける必要がないため、無線ＬＡＮ送受信装置３０自体の小型化を図ることができる。
【００６９】
また次に、動作設定モジュール３４を無線ＬＡＮ送受信装置３０と別体に構成した場合、動作設定モジュール３４を複数の無線ＬＡＮ送受信装置３０にて共用させることができることから、この場合には、図９に示すように、動作設定モジュール３４が実行する動作設定処理に、Ｓ３１０〜Ｓ３８０の処理を追加するとよい。
【００７０】
つまり、図９に示す動作設定処理は、基本的には図４に示したものと同じであるが、Ｓ１２０にて、使用者が簡単設定モードを選択したと判断された場合には、Ｓ１２５にて、使用者に対し、通信用パラメータの設定に、設定済みの通信用パラメータを利用するか否かを問い合わせ、設定済みの通信用パラメータを利用しない場合には、上記実施形態と同様、Ｓ１３０〜Ｓ２４０の処理にて通信用パラメータを新規設定し、設定済みの通信用パラメータを利用する場合には、Ｓ３１０〜Ｓ３８０の処理にて、通信用パラメータの自動設定を行うようにされている。
【００７１】
具体的には、Ｓ２４０にて、通信用パラメータの設定結果の確定指令が入力されたと判断されると、その設定結果を記憶するようにし、Ｓ１２５にて、その記憶された設定済みの通信用パラメータを利用して、新たな通信用パラメータを設定すると判断されると、今回通信用パラメータを設定するネットワーク機器は、前回通信用パラメータを設定したネットワーク機器と同じグループに属するネットワーク機器であるとして、Ｓ３１０にて、そのグループ内で親機（アクセスポイント）に対する設定が完了しているか否かを判断する。
【００７２】
そして、Ｓ３１０にて、親機に対する設定が完了していると判断されると、今回通信用パラメータを設定するのは子機の一つであるので、無線ＬＡＮモジュール３２の動作モードとして、ステーションを設定し、Ｓ３６０に移行する。
【００７３】
一方、Ｓ３１０にて、親機に対する設定が完了していないと判断されると（親機未設定の場合）、Ｓ３２０にて、今回通信用パラメータを設定するのは親機（アクセスポイント）であるか子機（ステーション）であるかを選択させるための選択メニューを表示部４６に表示し、続くＳ３３０にて、親機／子機の何れかが選択されるのを待つ。
【００７４】
そして、Ｓ３３０にて、親機／子機の何れかが選択されると、Ｓ３４０に移行して、その選択結果に応じて、無線ＬＡＮモジュール３２の動作モードを、アクセスポイント及びステーションの何れかに設定する。
【００７５】
こうして、無線ＬＡＮモジュール３２の動作モードとして、アクセスポイント／ステーションの何れかが設定されると、今度は、Ｓ３６０に移行して、前回設定した通信用パラメータと同じチャンネル番号及びＥＳＳＩＤを、現在設定対象となっている無線ＬＡＮモジュール３２のチャンネル番号及びＥＳＳＩＤとして設定し、その設定結果を記憶する。
【００７６】
また続くＳ３７０では、図５（ｂ）に例示したＩＰアドレス設定用のマップを用いて、前回通信用パラメータを設定したネットワーク機器と同じグループ内で空いている（ネットワーク機器がアクセスポイントであれば同一グループ内の親機の）ＩＰアドレス及びサブネットマスクを読み込み、これを、現在設定対象となっている無線ＬＡＮモジュール３２のＩＰアドレス及びサブネットマスクとして設定し、その設定結果を記憶する。
【００７７】
また、続くＳ３８０では、Ｓ２２０と同様の手順で、ＢＳＳＩＤ及びセキュリティのための暗号化方式を設定し、その設定結果を記憶し、当該動作設定処理を終了する。
以上説明したように、動作設定モジュール３４を、無線ＬＡＮ送受信装置３０と別体に構成して、図９に示す手順で動作設定処理を実行するようにすれば、無線ＬＡＮシステムを構成する一つの無線ＬＡＮ送受信装置３０の通信用パラメータを設定するだけで、同一グループに属する他の無線ＬＡＮ送受信装置３０の通信用パラメータを、略自動で設定することができるようになり、その設定作業を、より簡単に効率よく行うことが可能となる。
【００７８】
また次に、上記実施形態では、ケース開閉ＳＷ３９は、蓋体の開閉に連動してオン／オフ状態が切り換えられる機械式スイッチにて構成されているものとして説明したが、このスイッチは、例えば、フォトダイオード、フォトトランジスタ、ｃｄｓなどの感光素子を利用した回路スイッチを用いて構成してもよい。
【図面の簡単な説明】
【００７９】
【図１】実施形態の遠隔監視システム全体の構成を表す概略構成図である。
【図２】無線ＬＡＮ送受信装置の回路構成を表すブロック図である。
【図３】無線ＬＡＮ送受信装置のケース本体から密閉用の蓋体を外してケース内部を露出させた状態を表す平面図である。
【図４】動作設定モジュールにて実行される動作設定処理を表すフローチャートである。
【図５】無線ＬＡＮモジュールのＥＳＳＩＤ及びＩＰアドレスを設定するのに用いられるマップを表す説明図である。
【図６】無線ＬＡＮ送受信装置の変形例を表す平面図である。
【図７】図６に示す無線ＬＡＮ送受信装置に動作設定モジュールを装着した状態を表すＸ−Ｘ線断面図である。
【図８】動作設定モジュールを無線ＬＡＮ送受信装置に外付けするようにした場合の説明図である。
【図９】動作設定処理の変形例を表すフローチャートである。
【符号の説明】
【００８０】
２ａ，２ｂ…監視装置、４…ハブ、６…上位の監視装置、１０ａ，１０ｂ…カメラ、１２ａ，１２ｂ…子機、２０ａ，２０ｂ…モニタ装置、２２ａ，２２ｂ……親機、３０…無線ＬＡＮ送受信装置、３１…ケース本体、３２…無線ＬＡＮモジュール、３４…動作設定モジュール、３６…ハブ、３７，５２…コネクタ、３８…電源回路、３９…ケース開閉スイッチ、４０…マイコン、４１…ウォッチドッグタイマ、４２…通信部、４４…操作部、４６…表示部。
【図１】
0005048529.tif 000002
【図２】
0005048529.tif 000003
【図３】
0005048529.tif 000004
【図４】
0005048529.tif 000005
【図５】
0005048529.tif 000006
【図６】
0005048529.tif 000007
【図７】
0005048529.tif 000008
【図８】
0005048529.tif 000009
【図９】
0005048529.tif 000010